(57)【特許請求の範囲】
【請求項１】
空気の吸込口および吹出口を有するユニット本体と、前記ユニット本体の内部に設けられ、前記吸込口と前記吹出口とを連通する風路と、前記風路の経路に配置された送風ファンおよび熱交換器と、前記吹出口に空気の吹き出し方向を変更可能に配置され、空気を受け流す風受け面を有する風向板とを備える空気調和機において、
前記吹出口の長手方向側端部の壁面部で前記風向板の軸部の上側にコアンダ効果を生じる突状部を形成すると共に、前記吹出口の長手方向の長手方向壁面部で前記風向板の途中に設けた回転軸支部の上側にコアンダ効果を生じる突状部を形成することを特徴とする空気調和機。
【請求項２】
請求項１に記載の空気調和機において、
前記長手方向側端部の前記壁面部に設けられた前記突状部は、前記長手方向側端部の前記壁面部から離れる方向に突出し前記長手方向側端部の前記壁面部と平行な頂面部と、前記頂面部から上側方向に延びて前記長手方向側端部の前記壁面部に繋がる上側斜面部と、前記頂面部から下側方向に延びて前記長手方向側端部の前記壁面部に繋がる下側斜面部から構成されていることを特徴とする空気調和機。
【請求項３】
請求項１に記載の空気調和機において、
前記吹出口の前記長手方向壁面部で前記風向板の途中に設けた前記回転軸支部の上側に設けられた前記突状部は、前記長手方向壁面部から離れる方向に突出し前記長手方向壁面部と平行な頂面部と、前記頂面部から上側方向に延びて前記長手方向壁面部に繋がる上側斜面部と、前記頂面部から下側方向に延びて前記長手方向壁面部に繋がる下側斜面部から構成されていることを特徴とする空気調和機。
【請求項４】
請求項２或いは請求項３に記載の空気調和機において、
前記上側斜面部と前記下側斜面部は、その面の形状が平面状に形成されているか、或いは空気の流れる方に膨らんだ曲線状に形成されていることを特徴とする空気調和機。
【請求項５】
請求項１乃至請求項４のいずれか１項に記載の空気調和機において、
前記吹出口の前記長手方向側端部の前記壁面部に形成された前記突状部と、前記吹出口の前記長手方向壁面部に形成された前記突状部は、前記吹出口を形成する通路と一体的に形成されていることを特徴とする空気調和機。
【発明の詳細な説明】
【技術分野】
【０００１】
本発明は空気調和機に係り、特に冷房運転機能を備えた空気調和機に関するものである。
【背景技術】
【０００２】
例えば、空気調和機の一例として、天井埋込型空気調和機（以下、空気調和機と表記する）は天井に埋設された空調ユニット本体に室内空気を吸い込み、吸い込まれた室内空気を熱交換器により熱交換し、この熱交換された空気(空調空気)を吹出口から室内へ吹き出し、室内を空調(冷房や暖房除湿等)するものである。そして、吹出口にはルーバ、ベーン等と呼ばれる風向板があり、その風向板により空調空気の吹出空気の方向を制御している。
【０００３】
ところで、冷房運転を行う場合には熱交換器内を流れる冷媒が気化することにより、熱交換器の周囲の熱を奪っていき、送風ファンから送られてくる室内空気が熱交換器によって冷却されることで冷風を室内に送るものである。
【０００４】
そして、冷却された空気により冷やされた風向板に、高温・多湿の空気が接触することで、吹出口周辺に結露が発生することは往々にして経験するところである。そして、この結露が成長して結露水となって落下することにより、使用者に不快感を与えてしまうことがある。このため、空気調和機の吹出口に結露が発生しないような構造を検討することが必要である。
【０００５】
冷却された空気で冷やされた風向板に結露が生じるのを抑制する方法として、例えば、特開２０１２-９７９５８号公報（特許文献１）には次のような構成を提案している。すなわち、熱交換器から吹出口までの間に、ジャンプ台とそのジャンプ台に穴を設けて、結露を抑制するものである。このジャンプ台は、冷却された空気の流れを風向板の意匠面側(下方から天井を見たときに見える面)に向かわせる効果があり、意匠面側に空気が流れることにより結露を防いでいる。また、このジャンプ台に穴を設けることにより、風向板の反意匠面側(下方より天井を見たときに見えない面)にも冷却された空気を流すことができる。その２つの効果により、風向板の表裏両面に冷却された空気が流れ、風向板の結露を防止することができる。
【先行技術文献】
【特許文献】
【０００６】
【特許文献１】特開２０１２−９７９５８号公報
【発明の概要】
【発明が解決しようとする課題】
【０００７】
特許文献１に示される空気調和機においては、冷却された空気の風量が充分に確保されている場合には有効な方法である。しかしながら、一般的に吹出口の中心付近と比べて、吹出口の長手方向端部側はその構造から風量が少ない傾向にある。送風ファンから送り出された空気は、空調ユニットの構造から旋回流となるため、吹出口の長手方向の開口で見ると吹き出し空気の風量は一様とならず、吹出口の長手方向端部側の風量が低下する。
【０００８】
特に、風量が少ない場合はこの傾向が顕著となる。このため、冷却された空気の空気層が形成されにくいので、高温・多湿の空気が直接的に冷却された風向板に接触して結露を生じる恐れが高くなる。吹出口の長手方向端部には風向板を軸支する軸部が配置されているので、この部分で空気層が形成され難く結露が多く生じる恐れが高くなる。
【０００９】
更に、吹出口の長手方向の長さが長い空気調和機においては、吹出口の長さに合わせた風向板を使用する。風向板が長い場合、風向板を支えるために、風向板の途中に回転軸支部を設けることが行われている。このため、この回転軸支部では空気の乱れが大きいので、同様に空気層を形成することが難しく、この部分で高温・多湿の空気が直接的に冷却された回転軸子部に接触して結露を生じる恐れが高くなる。
【００１０】
本発明の目的は、吹出口の長手方向側端部の風向板の軸部、或いは風向板の途中に設けた回転軸支部に結露が生じ難い新規な空気調和機を提供することにある。
【課題を解決するための手段】
【００１１】
本発明の特徴は、吹出口の長手方向側端部の壁面部で風向板の軸部の上側にコアンダ効果を生じる突状部を形成するか、或いは吹出口の長手方向の壁面部で風向板の途中に設けた回転軸支部の上側にコアンダ効果を生じる突状部を形成する、ところにある。
【発明の効果】
【００１２】
本発明によれば、コアンダ効果を生じる突状部によって吹出口の長手方向側端部の風向板の軸部、或いは風向板の途中に設けた回転軸支部に多くの冷却された空気を供給できるので、高温・多湿の空気が直接的に接触することが抑制され、結露を生じる恐れを低減できる。
【図面の簡単な説明】
【００１３】
【図１】本発明が適用される天井埋込型空気調和機を下方から見た斜視図である。
【図２】図１に示す空気調和機の側面断面図である。
【図３】図２に示す空気調和機の吹出口の拡大断面図である。
【図４】本発明の第１実施形態である吹出口の長手方向側端部附近の拡大内部斜視図である。
【図５】図４に示すコアンダ効果を生じる突状部の斜視図ある。
【図６】本発明の第２実施形態である吹出口の長手方向側端部付近の拡大内部斜視図である。
【図７】図６に示すコアンダ効果を生じる突状部の斜視図ある。
【図８】本発明の第３実施形態である吹出口の長手方向側端部付近の拡大内部斜視図である。
【図９】本発明の第４実施形態である風向板の回転軸支部の拡大内部斜視図である。
【図１０】本発明を適用した第５実施形態である吹出口の構成を示す正面図である。
【図１１】第５の実施形態とは異なる吹出口の構成を示す正面図である。
【発明を実施するための形態】
【００１４】
本発明の実施形態について図面を用いて詳細に説明するが、本発明は以下の実施形態に限定されることなく、本発明の技術的な概念の中で種々の変形例や応用例をもその範囲に含むものである。
【００１５】
以下、本発明の実施形態を説明するが、その前に本発明が適用される空気調和機の全体的な構成を図１、図２に基づき説明する。
【００１６】
図１において、参照番号１は、天井埋込型の空気調和機の室内ユニットであるユニット本体を示し、室内の天井の裏に埋設される。ユニット本体１には化粧パネル２が着脱自在に固定されている。化粧パネル２の中央部には室内の空気を吸い込む吸込口３が形成されている。また、化粧パネル２の吸込口３を境にして対称に熱交換により空調された空気（空調空気）を室内へ吹き出す吹出口４、５が夫々設けられている。
【００１７】
そして、夫々の吹出口４、５には、空気の吹き出し方向を変更可能にする風向板６、７が設けられている。この風向板６、７は、吹出口の長手方向の端部を回動自在に軸支されている。風向板６、７は、空気の吹き出し方向に向けて配置され、断面が湾曲した形状に形成されている。そして、風向板の形状はユニット本体１の内側（図２において上方）に向けて湾曲しており、風向板６、７の上面を反意匠面とし、下側を意匠面としている。図２にあるように、この風向板６、７を囲むように断熱材８が設けられている。この断熱材８にも断面が湾曲した形状に形成され、空気の吹出し方向を決定している。
【００１８】
次に図２において、ユニット本体１の内部には、吸込口３と吹出口４、５とを連通する風路９が形成されている。そして、風路９の経路に送風ファン１０（例えば、ターボファン）と熱交換器１１とが設置されている。送風ファン１０は、電動モータ１２によって回転駆動され、吸込口３を通して室内の空気を吸い込み、吸い込まれた空気は熱交換器１１を通して吹出口４、５へ送り出すようになっている。
【００１９】
熱交換器１１は、その内部を流れる冷媒が冷凍サイクルを形成し、冷房時には蒸発器として作動し、暖房時には凝縮器として作動するもので、吸い込まれた空気と熱交換することで、暖気または冷気を生成するものである。また、熱交換器１１はドレインパン上１３に設置され、ドレインパン１３は熱交換器１１から滴下する凝縮水を一時的に収容し、また外部に排出する構成とされている。
【００２０】
図３は図２に示す空気調和機の吹出口４側の拡大断面であるが、他の吹出口５側も同様の構成であるので、以下では吹出口４側について説明する。図３に示すように、吹出口４に繋がる風路９は、ユニット本体１の外壁１４とドレインパン１３の側壁１５とで囲まれており、風路９と吹出口４に連通する出口側開口部１６を有する。このドレインパン１３はユニット本体１と化粧パネル２との間に介在し、出口側開口部１６が風路９と吹出口４を連通するように構成されている。
【００２１】
化粧パネル２の吹出口４は吸込口３に沿って長手方向に延びており、内部に風向板６が回動自在に配置されている。風向板６は回動軸１７によって支持されており、風向板６と回動軸１７は合成樹脂で一体的に形成されている。回動軸１７は図示しない電動モータによって回動軸１７が回転され、これによって風向板６が任意位置に回動されるものである。回動軸１７は吹出口４の長手方向側端部１８の壁面に軸支されており、この長手方向側端部１８は吸込口４を形成する壁面部から構成されている。
【００２２】
以上の構成の天井埋込型空気調和機は既に良く知られているのでこれ以上の説明は省略する。上述したように、一般的に吹出口４の中心付近と比べて、吹出口４の長手方向端部１８側は風量が少ない。このため、冷却された空気の空気層が形成されにくいので、高温・多湿の空気が直接的に冷却された風向板６に接触して結露を生じる恐れが高くなる。更に、吹出口４の長手方向端部１８には風向板６を軸支する回動軸１７が配置されているので、この部分で空気層が形成され難く結露が多く生じる恐れが高くなる。
【００２３】
そこで本実施例においては、吹出口４の長手方向側端部１８の壁面部で風向板６の回動軸１７の上側にコアンダ効果を生じる突状部を形成する構成を採用したものである。コアンダ効果を生じる突状部によって、吹出口４の長手方向側端部１８に軸支されている風向板６の回動軸１７に、多くの冷却された空気を供給できるので、高温・多湿の空気が直接的に接触することが抑制され、結露を生じる恐れを低減できるものである。以下、本発明の実施形態について詳細に説明する。
【実施例１】
【００２４】
本発明の第１の実施形態を図４、図５に基づき説明する。図４は、吹出口５の長手方向側端部１８付近の内部を拡大したものである。吹出口５の長手方向側端部１８の壁面部１８Ａには風向板６の回動軸１７が軸支されている。そして、回動軸１７の上側の長手方向側端部１８の壁面部１８Ａにはコアンダ効果を生じる突状部２０が設けられている。本実施例では、この突状部２０は長手方向側端部１８の壁面部１８Ａと合成樹脂によって一体的に形成されている。つまり、合成樹脂等の素材によって作られる吹出口５の通路と一体に形成されている。ただ、突状部２０を別体に形成して、ボルトや接着剤で長手方向側端部１８の壁面部１８Ａに固定することも可能である。
【００２５】
コアンダ効果を生じる突状部２０は、図４、図５にあるように、長手方向側端部１８の壁面部１８Ａから離れる方向に突出し壁面部１８Ａと平行な、形状が矩形の頂面部２０Ａと、この頂面部２０Ａから上側方向に延びて長手方向側端部１８の壁面部１８Ａに繋がる上側斜面部２０Ｂと、この頂面部２０Ａから下側方向に延びて長手方向側端部１８の壁面部１８Ａに繋がる下側斜面部２０Ｃとから構成されている。したがって、この突状部２０の空気流れの方向で見た断面は、壁面部１８Ａ側を底辺とする台形状の断面となっている。
【００２６】
ここで、コアンダ効果とは、大まかに言えば空気流れのそばに湾曲した壁があると、空気流れの方向と壁の方向とが離れていても、壁の曲面に沿って空気が流れようとする現象である。したがって、図４、図５にある通り、長手方向側端部１８の壁面部１８Ａ付近を流れる空気は、太い矢印Ａで示すように、コアンダ効果によって上側斜面部２０Ｂに沿って流れる。次に、上側斜面部２０Ｂを登り切った空気は頂面部２０Ａに沿って流れ、更にコアンダ効果によって下側斜面部２０Ｃに沿って流れるようになる。
【００２７】
したがって、上側斜面部２０Ｂの断面積に相当する空気が頂面部２０Ａ側に誘導され、この誘導された空気は下側斜面部２０Ｃに沿って誘導されて回動軸１８付近に流れ込むことになる。尚、このコアンダ効果を用いた空気の流れは、以下に説明する他の実施例も基本的には同じである。
【００２８】
このように、コアンダ効果を生じる突状部２０によって、多くの冷却された空気を風向板６の回動軸１７付近に供給できるので、冷却された空気の空気層が形成されやすくなって、高温・多湿の空気が直接的に冷却された風向板６や回動軸１７に接触することが抑制されるので、結露を生じる恐れを少なくできる。
【００２９】
また、長手方向側端部１８の壁面部１８Ａに平行な頂面部２０Ａを設けることで、上側斜面部２０Ｂに接触して偏向した空気の流れが、コアンダ効果により頂面部２０Ａの平面に沿って流れるため、空気の速度分布を安定させることができ、空気層の形成に寄与することができる。
【００３０】
ここで、上側斜面部２０Ｂと下側斜面部２０Ｃは平面で形成されているが、空気が流れる方に膨らんだ曲面で形成することも可能である。尚、斜面部を曲面で形成することは以下の他の実施形態でも同様である。
【００３１】
このように、風向板６の回動軸１７周辺に多くの風量を確保することで、風向板６の回動軸１７付近に十分な空気層を形成するので、高温・多湿の空気が直接的に冷却された風向板６や回動軸１７に接触することが抑制されるので、結露を生じる恐れを少なくできる。また、吹出口４の外側に向かう風量も増加するため、高温・高湿の空気の侵入を阻止する効果もある。
【実施例２】
【００３２】
次に本発明の第２の実施形態を図６、図７に基づき説明する。図６は、吹出口５の長手方向側端部１８付近の内部を拡大したものである。吹出口５の長手方向側端部１８の壁面部１８Ａには風向板６の回動軸１７が軸支されている。そして、回動軸１７の上側の長手方向側端部１８の壁面部１８Ａにはコアンダ効果を生じる突状部２１が設けられている。本実施例では、この突状部２１は長手方向側端部１８の壁面部１８Ａと合成樹脂によって一体的に形成されている。ただ、実施例１と同様に突状部２１を別体に形成して、ボルトや接着剤で長手方向側端部１８の壁面部１８Ａに固定することも可能である。
【００３３】
コアンダ効果を生じる突状部２１は、図６、図７にあるように、長手方向側端部１８の壁面部１８Ａから離れる方向に突出し壁面部１８Ａと平行な、形状が直角三角形の頂面部２１Ａと、この頂面部２１Ａから上側斜め方向に延びて長手方向側端部１８の壁面部１８Ａに繋がる上側斜め方向斜面部２１Ｂと、この頂面部２１Ａから下側方向に延びて長手方向側端部１８の壁面部１８Ａに繋がる下側斜面部２１Ｃとから構成されている。
【００３４】
したがって、この突状部２１の空気流れの方向で見た断面は、壁面部１８Ａ側を底辺とする台形状の断面で、しかも吹出口５の中央側に向けて尖った三角錐台の形状となっている。この三角錐台の突状部２１もコアンダ効果を生じるものであり、三角錐台の形状に沿って空気が誘導されるものである。尚、図６にある通り、空気流れから見て三角錐の下側の底辺はほぼ水平方向に延びている。したがって、上側の斜辺は吹出口５の中央に向けて下側に傾斜している。
【００３５】
このように、図６、図７にある通り、長手方向側端部１８の壁面部１８Ａ付近を流れる空気は、太い矢印Ａで示すように、コアンダ効果によって上側斜め方向斜面部２１Ｂに沿って流れる。次に、上側斜め方向斜面部２１Ｂを登り切った空気は頂面部２１Ａに沿って流れ、更にコアンダ効果によって下側斜面部２１Ｃに沿って流れるようになる。
【００３６】
したがって、上側斜め方向斜面部２１Ｂの断面積に相当する空気が頂面部２１Ａ側に誘導され、この誘導された空気は下側斜面部２１Ｃに沿って回動軸１８付近に流れ込むことになる。このように、コアンダ効果を生じる突状部２１によって、多くの冷却された空気を風向板６の回動軸１７付近に供給できるので、冷却された空気の空気層が形成されやすくなって、高温・多湿の空気が直接的に冷却された風向板６や回動軸１７に接触することが抑制されるので、結露を生じる恐れを少なくできる。
【００３７】
また、長手方向側端部１８の壁面部１８Ａに平行な頂面部２１Ａを設けることで、上側斜め方向斜面部２１Ｂに接触して偏向した空気の流れが、コアンダ効果により頂面部２１Ａの平面に沿って流れるため、空気の速度分布を安定させることができ、空気層の形成に寄与することができる。
【００３８】
更に、突状部２１を形成する三角錐台の上側の斜面が吹出口５の中央に向けて傾斜しているので、空気が斜面方向に流れやすくなる。一般的に、空気は風向板６に沿って流れるので、風向板６の意匠面側の吹出口５側に流れにくい傾向にあるが、三角錐台の斜面によって空気が偏向されるので、風向板６の意匠面側の吹出口５側にも流れるようになる。
【００３９】
尚、突状部２１である三角錐台の形状は任意であり、吹出口５の形状、風向板６の形状、回動軸１７の形状等によって適切な形状を設定すれば良いものである。
【００４０】
このように、風向板６の回動軸１７周辺に多くの風量を確保することで、風向板６の回動軸１７付近に十分な空気層を形成するので、高温・多湿の空気が直接的に冷却された風向板６や回動軸１７に接触することが抑制されるので、結露を生じる恐れを少なくできる。また、吹出口４の外側に向かう風量も増加するため、高温・高湿の空気の侵入を阻止する効果もある。
【実施例３】
【００４１】
次に本発明の第３の実施形態を図８に基づき説明する。図８は、吹出口５ではなく吹出口４の長手方向側端部１８付近の内部を拡大したものである。吹出口４の長手方向側端部１８の壁面部１８Ａには風向板６の回動軸１７が軸支されている。そして、回動軸１７の上側の長手方向側端部１８の壁面部１８Ａにはコアンダ効果を生じる突状部２２が設けられている。本実施例では、この突状部２２も実施例１や実施例２と同様に、長手方向側端部１８の壁面部１８Ａと合成樹脂によって一体的に形成されている。また、突状部２２を別体に形成して、ボルトや接着剤で長手方向側端部１８の壁面部１８Ａに固定することも可能である。
【００４２】
コアンダ効果を生じる突状部２２は、図８にあるように、長手方向側端部１８の壁面部１８Ａから離れる方向に突出し壁面部１８Ａと平行な、任意形状の三角形の頂面部２２Ａと、この頂面部２２Ａから上側斜め方向に延びて長手方向側端部１８の壁面部１８Ａに繋がる上側斜め方向斜面部２２Ｂと、この頂面部２２Ａから下側斜め方向に延びて長手方向側端部１８の壁面部１８Ａに繋がる下側斜め方向斜面部２２Ｃとから構成されている。
【００４３】
したがって、この突状部２２の空気流れの方向で見た断面は、壁面部１８Ａ側を底辺とする台形状の断面で、しかも吹出口５の中央斜め下側に向けて尖った三角錐台の形状となっている。この三角錐台の突状部２２もコアンダ効果を生じるものであり、三角錐台の形状に沿って空気が誘導されるものである。尚、図６と異なっているのは、空気流れから見て三角錐の下側の底辺及び上側の斜辺は下側斜め方向に傾斜して延びている点である。
【００４４】
したがって、図８にある通り、長手方向側端部１８の壁面部１８Ａ付近を流れる空気は、太い矢印Ａで示すように、コアンダ効果によって上側斜め方向斜面部２２Ｂに沿って流れる。次に、上側斜め方向斜面部２２Ｂを登り切った空気は頂面部２２Ａに沿って流れ、更にコアンダ効果によって下側斜め方向斜面部２２Ｃに沿って流れるようになる。
【００４５】
このように、上側斜め方向斜面部２２Ｂの断面積に相当する空気が頂面部２２Ａ側に誘導され、この誘導された空気は下側斜め方向斜面部２２Ｃに沿って回動軸１８付近に流れ込むことになる。このように、コアンダ効果を生じる突状部２１によって、多くの冷却された空気を風向板６の回動軸１７付近に供給できるので、冷却された空気の空気層が形成されやすくなって、高温・多湿の空気が直接的に冷却された風向板６や回動軸１７に接触することが抑制されるので、結露を生じる恐れを少なくできる。
【００４６】
また、長手方向側端部１８の壁面部１８Ａに平行な頂面部２２Ａを設けることで、上側斜め方向斜面部２１Ｂに接触して偏向した空気の流れが、コアンダ効果により頂面部２２Ａの平面に沿って流れるため、空気の速度分布を安定させることができ、空気層の形成に寄与することができる。
【００４７】
更に、突状部２２を形成する三角錐台の斜面が吹出口４の中央に向けて傾斜しているので、空気が斜面方向に流れやすくなる。一般的に、空気は風向板６に沿って流れるので、風向板６の意匠面側の吹出口４側に流れにくい傾向にあるが、三角錐台の斜面によって空気が偏向されるので、風向板６の意匠面側の吹出口４側にも流れるようになる。
【００４８】
尚、突状部２２である三角錐台の形状は任意であり、吹出口４の形状、風向板６の形状、回動軸１７の形状等によって適切な形状を設定すれば良いものである。
【００４９】
最後に、実施例１、実施例２、及び実施例３からわかるように、突状部２０、２１、２２の形状は、必要な場所の必要な風量に応じて適切な形状、適切な大きさが選択されて使用されるものである。
【００５０】
このように、風向板６の回動軸１７周辺に多くの風量を確保することで、風向板６の回
動軸１７付近に十分な空気層を形成するので、高温・多湿の空気が直接的に冷却された風向板６や回動軸１７に接触することが抑制されるので、結露を生じる恐れを少なくできる。また、吹出口４の外側に向かう風量も増加するため、高温・高湿の空気の侵入を阻止する効果もある。
【実施例４】
【００５１】
次に本発明の第４の実施形態を図９に基づき説明する。上述したように、吹出口４、５の長手方向の長さが長い空気調和機においては、吹出口４、５の長さに合わせた風向板６を使用する。風向板６が長い場合、風向板６を支えるために、風向板６の途中に回転軸支部を設けることが行われている。このため、この回転軸支部では空気の乱れが大きいので、空気層を形成することが難しく、この部分で高温・多湿の空気が直接的に冷却された回転軸子部に接触して結露を生じる恐れが高くなる。
【００５２】
そこで、本実施例では、吹出口５の長手方向の壁面部で風向板６の途中に設けた回転軸支部の上側にコアンダ効果を生じる突状部を形成する構成とした。これによって、風向板６の途中に設けた回転軸支部に多くの冷却された空気を供給できるので、高温・多湿の空気が直接的に接触することが抑制され、結露を生じる恐れを低減できるようになる。
【００５３】
図９において、風向板６の途中には軸受開口を形成した中間軸受部２３が形成されている。この中間軸受部２３は、長手方向の吹出口５を形成する長手方向壁面部２４に設けられた回転軸支部２５に回転自在に軸支されている。このため風向板６の回動にしたがって中間軸受部２３も回転軸支部２５を中心に回動することができる。このように、風向板６の途中に回転軸支部２５を設けることが行われている。このため、この回転軸支部２５付近では空気の乱れが大きいので、空気層を形成することが難しく、この部分で高温・多湿の空気が直接的に冷却された回転軸支部２５付近に接触して結露を生じる恐れが高くなる。
【００５４】
本実施例では図９に示すように、回転軸支部２５の上流側の長手方向壁面部２４にはコアンダ効果を生じる突状部２６が設けられている。本実施例においても、この突状部２６は長手方向壁面部２４と合成樹脂によって一体的に形成されている。つまり、合成樹脂等の素材によって作られる吹出口５の通路と一体に形成されている。ただ、実施例１と同様に突状部２６を別体に形成して、ボルトや接着剤で長手方向壁面部２４に固定することも可能である。
【００５５】
コアンダ効果を生じる突状部２６は、図９にあるように、回転軸支部２５の上流側で、回転軸支部２５を跨ぐ所定長の長さを備えている。そして、長手方向壁面部２４から離れる方向に突き出し壁面部２４と平行な形状が矩形の頂面部２６Ａ、この頂面部２６Ａの両側から横方向に延びて長手方向壁面部２４に繋がる一対の横方向斜面部２６Ｂと、この頂面部２１Ａから上側方向に延びて長手方向壁面部２４に繋がる上側斜面部２６ＣＡと、一対の横方向斜面部２６Ｂから上側斜め方向に延びて長手方向壁面部２４に繋がる一対の上側斜め方向斜面部２６ＣＢと、頂面部２６Ａ、一対の横方向斜面部２６Ｂから下側方向に延びる共通下側斜面部２６Ｄとから構成されている。尚、一対の横方向斜面部２６Ｂは頂面部２６Ａから離れるにつれて尖る三角形の形状に形成されている。また、この突上部２６は形状的に大きくなるので、内部の肉を取り除いた三角錐台のカップ状に形成することもできる。これによって重量の低減を図ることができる。
【００５６】
したがって、この突状部２６は三角錐台を変形した変形三角錐台の形状になっている。この変形三角錐台の突状部２６もコアンダ効果を生じるものであり、変形三角錐台の形状に沿って空気が誘導されるものである。尚、図９にある通り、空気流れから見て下側の底辺はほぼ水平方向に延びている。
【００５７】
このように、図９にある通り、長手方向壁面部２４付近を流れる空気は、太い矢印Ａで示すように、コアンダ効果によって上側斜面部２６ＣＡ、一対の上側側斜め方向斜面部２６ＣＢ、頂面部２６Ａ、一対の横方向斜面部２６Ｂ、及び共通下側斜面部２６Ｄに沿って流れ、回転軸支部２５側に流れるようになる。このように、コアンダ効果を生じる突状部２６によって、多くの冷却された空気を風向板６の回動軸支部２５付近に供給できるので、冷却された空気の空気層が形成されやすくなって、高温・多湿の空気が直接的に冷却された風向板６や回動軸支部２５に接触することが抑制されるので、結露を生じる恐れを少なくできる。
【００５８】
このように、風向板６の回転軸支部２５周辺に多くの風量を確保することで、風向板６の回転軸支部２５付近に十分な空気層を形成するので、高温・多湿の空気が直接的に冷却された風向板６や回動軸１７に接触することが抑制されるので、結露を生じる恐れを少なくできる。また、吹出口４の外側に向かう風量も増加するため、高温・高湿の空気の侵入を阻止する効果もある。
【実施例５】
【００５９】
次に、上述したコアンダ効果を生じる突起を化粧パネルの吹出口５に施した例について、図１０、図１１を用いて説明する。尚、各突状部は化粧パネルの吹出口５に一体成形したものである。一体成形で製作するために、成形型の抜き方向は図１０及び図１１の上下方向のみである。そのため、突状部は上下方向に抜ける形状としている。
【００６０】
図１０は風量の少ない製品に使用したもので、吹出口５の風向板６の両端の軸支部１７に対応して長手方向側端部１８の一方の壁面部には実施例１に示す突状部２０が設けられ、他方には実施例３に示す突状部２２が設けられている。また、中央付近には回転軸支部２３に対応して中央付近には実施例４に示す突状部２６が設けられている。
【００６１】
図１１は風量の多い製品に使用したもので、吹出口５の風向板６の両端の軸支部１７に対応して長手方向側端部１８の壁面部の一方には実施例１に示す突状部２０が設けられ、他方には実施例２に示す突状部２１が設けられている。また、複数の回転軸支部２３に対応して実施例４に示す３個の突状部２６が設けられている。尚、中央の突状部２６には、ドレインパン１３と化粧パネル２を繋ぐため、ねじ止め用の穴が必要となり、突状部２６の中央部をねじ止め用のねじに合わせて加工している。ここでは、室内の天井に取り付けられる２方向カセット型の天井埋込型空気調和機を例に説明しているが、この他の形状の空気調和機にも適用できるものである。
【００６２】
以上述べた通り本発明は、吹出口の長手方向側端部の壁面で風向板の軸部の上側にコアンダ効果を生じる突状部を形成するか、或いは吹出口の長手方向の壁面で風向板の途中に設けた回転軸支部の上側にコアンダ効果を生じる突状部を形成する構成とした。
【００６３】
これによれば、コアンダ効果を生じる突状部によって吹出口の長手方向側端部の風向板の軸部、或いは風向板の途中に設けた回転軸支部に多くの冷却された空気を供給できるので、高温・多湿の空気が直接的に接触することが抑制され、結露を生じる恐れを低減できるものである。
【００６４】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６５】
１…ユニット本体、２…化粧パネル、３…吸込口、４、５…吹き出し口、６、７…風向板、８…断熱材、９…風路、１０…送風ファン、１１…熱交換器、１２…電動モータ、１３…ドレインパン、１４…外壁、１５…側壁、１６…出口側開口部、１７…回動軸、１８…長手方向側端面部、１８Ａ…壁面部、２０、２１、２２、２６…突状部、２３…中間軸受部、２４…長手方向壁面部、２５…回転軸支部。
【図１】
0006427031.tif 000002
【図２】
0006427031.tif 000003
【図３】
0006427031.tif 000004
【図４】
0006427031.tif 000005
【図５】
0006427031.tif 000006
【図６】
0006427031.tif 000007
【図７】
0006427031.tif 000008
【図８】
0006427031.tif 000009
【図９】
0006427031.tif 000010
【図１０】
0006427031.tif 000011
【図１１】
0006427031.tif 000012